(57)【要約】      （修正有）【課題】ジャンクションボックス位置制限装置を提供する。【解決手段】ジャンクションボックス位置制限装置は、箱体位置制限ベース１と、固定底板２と、ハーネス位置制限ベース３と、ハーネスプレス板４とを含み、箱体位置制限ベース１とハーネス位置制限ベース３とは固定底板２に固定して並設され、ハーネスプレス板４はハーネス位置制限ベース３に可動的に接続されている。当該位置制限装置は、構造が簡単で、操作が便利であり、様々な異なるサイズタイプのジャンクションボックスとモジュールに使用することができ、良好な互換性を有し、特にフレキシブル光起電力モジュールの製造プロセスにおけるジャンクションボックスの位置決めに対して、位置制限が便利、迅速、正確である。【選択図】図１
0003218822.tif 000002
【実用新案登録請求の範囲】
【請求項１】
ジャンクションボックス位置制限装置であって、
前記ジャンクションボックス位置制限装置は、箱体位置制限ベースと、固定底板と、ハーネス位置制限ベースと、ハーネスプレス板とを含み、前記箱体位置制限ベースとハーネス位置制限ベースとは固定底板に固定して並設され、ハーネスプレス板はハーネス位置制限ベースに可動的に接続され、前記箱体位置制限ベース上に真空吸盤が設けられることを特徴とするジャンクションボックス位置制限装置。
【請求項２】
前記箱体位置制限ベースと前記ハーネス位置制限ベースとは、ボルトを介して前記固定底板に接続されることを特徴とする請求項１に記載のジャンクションボックス位置制限装置。
【請求項３】
前記箱体位置制限ベースは、溝付きの金属ブロックであり、その溝部分がジャンクションボックスにマッチングされることを特徴とする請求項２に記載のジャンクションボックス位置制限装置。
【請求項４】
前記箱体位置制限ベースは、複数の位置制限柱からなり、前記位置制限柱の内側に形成されたスペースがジャンクションボックスにマッチングされ、前記位置制限柱の位置は箱体のサイズに応じて調整可能であることを特徴とする請求項２に記載のジャンクションボックス位置制限装置。
【請求項５】
前記箱体位置制限ベース上に、ワークが所定位置にあるか否かを検出するためのセンサーが設けられることを特徴とする請求項１〜４のいずれか一項に記載のジャンクションボックス位置制限装置。
【請求項６】
ピンをさらに含み、前記ピンは、ハーネスプレス板ピン穴とハーネス位置制限ベースピン穴を順次通過して、前記ハーネス位置制限ベースと前記ハーネスプレス板とを接続し、前記ハーネスプレス板は前記ピンを回転軸として、前記ハーネス位置制限ベースで柔軟に回転することを特徴とする請求項５に記載のジャンクションボックス位置制限装置。
【請求項７】
前記ハーネス位置制限ベース上に磁石が設けられ、前記ハーネスプレス板上に円形鉄ブロックが設けられ、磁石と円形鉄ブロックとが引き合うと、ジャンクションボックスハーネスを押さえて固定することを特徴とする請求項１〜４、６のいずれか一項に記載のジャンクションボックス位置制限装置。
【請求項８】
前記磁石は、ボルト又は接着剤により、前記ハーネス位置制限ベース上のハーネス位置制限ベースの磁石固定穴に固定され、前記円形鉄ブロックは、ボルト又は接着剤により、前記ハーネスプレス板上のハーネスプレス板円形の鉄ブロック固定穴に固定されることを特徴とする請求項７に記載のジャンクションボックス位置制限装置。
【請求項９】
前記センサーは、ボルトを介して箱体位置制限ベースセンサーの固定ボルト穴に接続され、箱体位置制限ベースセンサーの設置溝に固定されることを特徴とする請求項５に記載のジャンクションボックス位置制限装置。
【考案の詳細な説明】
【技術分野】
【０００１】
本願は、２０１７年０８月３０日に中国専利局に提出した、出願番号が２０１７２１０９８１９３．４であって、実用新案の名称が「ジャンクションボックス位置制限装置」である中国特許出願を優先権として主張し、本願でその全ての内容を援用するものとする。
【０００２】
本実用新案は、ソーラー光起電力モジュールの製造装置の技術分野に関し、特に、ジャンクションボックス位置制限装置に関する。
【背景技術】
【０００３】
光起電力モジュールの製造工程において、最後のステップにて、積層硬化されたモジュールへジャンクションボックスを取り付け、即ち、接着剤でジャンクションボックスとモジュールのバックプレーンとを接着するとともに、モジュール内の導電リード線とジャンクションボックス内の配線端子とを接続する。ジャンクションボックスのシリカゲルコーティング効果の均一性を要求しなければならず、ゲルコーティングの厚さ及び幅は工程の要求を満たさなければならない。ゲルコーティング効果が悪くて、厚さ又は幅が工程の要求を満たすことができないと、ジャンクションボックスとモジュールのバックプレーンとの接着強度が工程の要求を満たすことができなくなり、両者間のシール効果も悪い。接着強度が不十分であると、後で使用する際に、ジャンクションボックスが脱落する危険性があり、シールの効果が悪いと、後で使用する際に、雨や空気の湿気がジャンクションボックスに入ることがあり、ジャンクションボックスの作用はモジュールが発する電力を引き出すことである。これにより、ジャンクションボックスを短絡する危険性があり、厳しい場合は、ジャンクションボックス又はモジュールが焼損することがある。従って、ジャンクションボックスにゲルを均一にコーティングすることにより、それとバックプレーンとを確実に接着させ、良好に密封することは、光起電力モジュールの生産品質を向上させるに非常に重要である。
【０００４】
各会社において、仕上げモジュールが取り付けられた後のジャンクションボックスの外観は、厳密に規定されており、大きく歪ませることができない。現在、多くのジャンクションボックスは手作業で取り付けられており、各光起電力企業では、ジャンクションボックスの取り付け外観が注文の要求を満たさず毎日リワークしており、光起電力企業の労働コスト、材料コストを大幅に浪費している。
【０００５】
現在、太陽電池モジュールのジャンクションボックスの取り付けは、オペレーターの経験のみに依存してジャンクションボックスを位置決め、操作中の人為的な誤差が大きく、ジャンクションボックスの取り付け位置のばらつき、スキューなどの外観不良が発生し、そして、手動位置決めの生産効率も低い。自動接着剤ディスペンサーの出現により、現場のオペレーターによる手動のゲルコーティングの状況が変わっている。現在のデバイスはプロセス及び機能の面で既にゲルコーティングの要求を満たしているが、まだ欠陥がある。例えば、ゲルコーティング中のジャンクションボックスの位置変化により、プロセスの要求を満たすことができない場合があり、しばしば接着剤が縁部にコーティングされることがあるが、きれいに清掃しないと、後続のモジュールの製造に影響を及ぼす。
【考案の概要】
【考案が解決しようとする課題】
【０００６】
本実用新案が解決しようとする技術的問題は、構造が簡単で、操作が便利であり、様々な異なるサイズタイプのジャンクションボックスとモジュールに使用することができ、良好な互換性を有するジャンクションボックス位置制限装置を提供することである。
【課題を解決するための手段】
【０００７】
上記の技術的問題を解決するために、本実用新案はジャンクションボックス位置制限装置を提供し、前記ジャンクションボックス位置制限装置は、箱体位置制限ベースと、固定底板と、ハーネス位置制限ベースと、ハーネスプレス板とを含み、前記箱体位置制限ベースとハーネス位置制限ベースとは固定底板に固定して並設され、ハーネスプレス板はハーネス位置制限ベースに可動的に接続され、前記箱体位置制限ベース上に真空吸盤が設けられている。
【０００８】
さらに、前記箱体位置制限ベースと前記ハーネス位置制限ベースとはボルトを介して前記固定底板に接続されている。
【０００９】
さらに、前記箱体位置制限ベースは溝付きの金属ブロックであり、その溝部分がジャンクションボックスにマッチングされる。
【００１０】
さらに、前記箱体位置制限ベースは複数の位置制限柱からなり、前記位置制限柱の内側に形成されたスペースがジャンクションボックスにマッチングされ、前記位置制限柱の位置が箱体のサイズに応じて調整可能である。
【００１１】
さらに、前記箱体位置制限ベース上に、ワークが所定位置にあるか否かを検出するためのセンサーが設けられている。
【００１２】
さらに、ピンをさらに含み、前記ピンは、ハーネスプレス板ピン穴及びハーネス位置制限ベースピン穴を順次通過して、前記ハーネス位置制限ベースと前記ハーネスプレス板とを接続し、前記ハーネスプレス板が前記ピンを回転軸として、前記ハーネス位置制限ベースで柔軟に回転する。
【００１３】
さらに、前記ハーネス位置制限ベース上に磁石が設けられ、前記ハーネスプレス板の上に円形鉄ブロックが設けられ、磁石と円形鉄ブロックとが引き合うと、ジャンクションボックスハーネスを押さえて固定する。
【００１４】
さらに、前記磁石はボルト又は接着剤により、前記ハーネス位置制限ベース上のハーネス位置制限ベース磁石固定穴に固定され、前記円形鉄ブロックはボルト又は接着剤により、前記ハーネスプレス板上のハーネスプレス板円形鉄ブロック固定穴に固定されている。
【００１５】
さらに、前記センサーはボルトを介して箱体位置制限ベースセンサーの固定ボルト穴に接続され、箱体位置制限ベースセンサーの設置溝に固定されている。
【００１６】
本実用新案で提供するジャンクションボックス位置制限装置は、構造が簡単で、操作が便利であり、様々な異なるサイズタイプのジャンクションボックスとモジュールに使用することができ、良好な互換性を有し、特に、フレキシブル光起電力モジュールの製造におけるジャンクションボックスの位置決めに対して、位置制限が便利、迅速、正確である。
【図面の簡単な説明】
【００１７】
【図１】本実用新案の基本構造の模式図である。
【図２】本実用新案の配置の斜視模式図である。
【図３】本実用新案に係るジャンクションボックスの位置決めの模式図である。
【図４】本実用新案に係る吸盤の位置の模式図である。
【考案を実施するための形態】
【００１８】
本実用新案における前記ジャンクションボックスを適用する光起電力モジュールは、銅インジウムガリウムセレン薄膜光起電力モジュール、非晶質シリコン薄膜光起電力モジュール、非晶質シリコンゲルマニウム薄膜光起電力モジュール、テルル化カドミウム薄膜光起電力モジュール、ヒ化ガリウム薄膜光起電力モジュール、又は有機薄膜光起電力モジュールを含む。
【００１９】
本実用新案の目的、技術案及び長所をより明らかで、明確にするために、以下、図面を参照しながら実施例を挙げ本実用新案について記述する。
【００２０】
上記の技術的問題を解決するために、本実用新案はジャンクションボックス位置制限装置を提供し、前記ジャンクションボックス位置制限装置は、箱体位置制限ベース１と、固定底板２と、ハーネス位置制限ベース３と、ハーネスプレス板４とを含み、前記箱体位置制限ベース１と、ハーネス位置制限ベース３とは、固定底板２に固定して並設され、ハーネスプレス板４はハーネス位置制限ベース３に可動的に接続されている。
【００２１】
前記箱体位置制限ベース１とハーネス位置制限ベース３とはボルトを介して固定底板２に接続されている。
【００２２】
前記箱体位置制限ベース１は、溝付きの金属ブロックであり、その溝部分がジャンクションボックスにマッチングされる。
【００２３】
箱体位置制限ベース１の上に、ジャンクションボックス９を吸着してしっかりと固定させるための真空吸盤１３が設けられている。
【００２４】
前記箱体位置制限ベース１の上に、ワークが所定位置にあるか否かを検出するためのセンサー６が設けられている。
【００２５】
さらに、ピン５を含み、前記ピン５はハーネスプレス板ピン穴４２とハーネス位置制限ベースピン穴３１とを順次通過して、ハーネス位置制限ベース３とハーネスプレス板４とを接続し、そして、ハーネスプレス板４はピン５を回転軸として、ハーネス位置制限ベース３上で柔軟に回転する。
【００２６】
前記ハーネス位置制限ベース３の上に磁石７が設けられ、前記ハーネスプレス板４の上に円形鉄ブロック８が設けられている。
【００２７】
磁石７は、ボルト又は接着剤によりハーネス位置制限ベース３上のハーネス位置制限ベース磁石固定穴３２に固定されている。円形鉄ブロック８は、ボルト又は接着剤により、ハーネスプレス板４上のハーネスプレス板円形の鉄ブロック固定穴４１に固定されている。
【００２８】
センサー６は、ボルトを介して箱体位置制限ベースセンサー固定ボルト穴１２に接続され、箱体位置制限ベースセンサーの設置溝１１に固定され、当該センサー６はワークが所定位置にあるか否かを検出する。
【００２９】
代わりに、前記箱体位置制限ベースが複数の位置制限柱からなり、前記位置制限柱の内側に形成されたスペースがジャンクションボックスにマッチングされ、前記位置制限柱の位置は、箱体のサイズに応じて調整可能である。各位置制限柱が固定底板と接する位置に摺動路が設けられ、前記位置制限柱がボルトを介して摺動路の任意の位置に固定されている。ジャンクションボックスを変更する場合に、ジャンクションボックスのサイズに応じて位置制限柱を調整してジャンクションボックスと合わせる。
【００３０】
作動の際に、ジャンクションボックス９は箱体位置制限ベース１に嵌め込まれ、ジャンクションボックスハーネス９１がハーネス位置制限ベース３に入る。
【００３１】
ハーネスプレス板４を回転させ、ハーネス位置制限ベース３における磁石７と回転ハーネスプレス板４における円形鉄ブロック８とが引き合い、ジャンクションボックスハーネス９１を押さえて固定する。
【００３２】
以上のように、本実用新案の実施例では、当該位置制限装置は、構造が簡単で、操作が便利であり、様々な異なるサイズタイプのジャンクションボックスとモジュールとに使用することができ、良好な互換性を有し、特にフレキシブル光起電力モジュールの製造におけるジャンクションボックスの位置決めに対して、位置制限が便利、迅速、正確である。
【００３３】
以上の実施例は本実用新案を具体的説明するために用いられ、本実用新案の保護範囲を限定するものではなく、本実用新案の保護範囲は請求項によって特定される。本分野の周知の技術及び本実用新案に開示されている技術案によって、多くの変形案を推定又は思いつき、これらの変形案も本実用新案の保護範囲に属する。
【符号の説明】
【００３４】
１箱体位置制限ベース、２固定底板、３ハーネス位置制限ベース、４ハーネスプレス板、５ピン、６センサー、７磁石、８円形鉄ブロック、９ジャンクションボックス、１１箱体位置制限ベースセンサー設置溝、１２箱体位置制限ベースセンサー固定ボルト穴、１３真空吸盤、３１ハーネス位置制限ベースピン穴、３２ハーネス位置制限ベース磁石固定穴、４１ハーネスプレス板円形鉄ブロック固定穴、４２ハーネスプレス板ピン穴、９１ジャンクションボックスハーネス
【図１】
0003218822.tif 000003
【図２】
0003218822.tif 000004
【図３】
0003218822.tif 000005
【図４】
0003218822.tif 000006